(57)【特許請求の範囲】
【請求項１】
飲料をドリップ式によりカップ内に抽出するドリップバッグにおいて、
上端側に開放可能な注ぎ口を有し、透水性の材料により構成され、抽出原料を封入する袋体と、
前記袋体の外側面に前記袋体を挟むように対向して設けられ、前記カップの周縁に係止可能な係止爪がそれぞれ形成され、前記袋体を前記カップに懸架する一対の懸架部材と、
一方の前記懸架部材の下端部に設けられ、前記飲料の抽出後に一対の前記懸架部材の立ち姿勢を底板として保持する姿勢保持部材と、
前記姿勢保持部材の内側面に設けられ、前記飲料の抽出後に前記袋体から漏出した水分を吸水する吸水シート部材と、
を備えたことを特徴とするドリップバッグ。
【請求項２】
前記姿勢保持部材の先端部が他方の前記懸架部材の下端部に係止可能になっていることを特徴とする請求項１に記載のドリップバッグ。
【請求項３】
前記吸水シート部材の輪郭縁に接着部が熱圧着によって形成され、前記接着部が前記吸水シート部材に吸水した水分の流出を阻止できるようになっていることを特徴とする請求項１又は請求項２に記載のドリップバッグ。
【請求項４】
前記吸水シート部材は、不織布シートと、該不織布シートを両側から挟むように設けられたチタンを含有の一対のポリエチレンシートとからなることを特徴とする請求項１から請求項３のうちのいずれかの請求項に記載のドリップバッグ。
【請求項５】
前記抽出原料は、コーヒー粉又は茶葉であることを特徴とする請求項１から請求項４のうちのいずれかの請求項に記載のドリップバッグ。
【発明の詳細な説明】
【技術分野】
【０００１】
本発明は、コーヒー等の飲料をドリップ式によりカップ内に抽出するドリップバッグに関する。
【背景技術】
【０００２】
近年、ドリップ式のコーヒーメーカーを簡易にしたものとしてドリップバッグが広く市場に出回っており、ドリップバッグは、コーヒーをドリップ式によりカップ内に抽出するものであって、一般的なドリップバッグな構成等は、次のようになる。
【０００３】
即ち、ドリップバッグは、抽出原料としてのコーヒー粉を封入する袋体を備えており、この袋体は、透水性の材料からなるものである。また、袋体は、上端側に、開放可能な注ぎ口を有している。そして、袋体の外側面には、袋体をカップに懸架する一対の懸架部材が袋体を挟むように対向して設けられており、各懸架部材には、カップの周縁に係止可能な係止爪がそれぞれ形成されている。
【０００４】
従って、注ぎ口を開放した状態で、一対の懸架部材の係止爪をカップの周縁に係止することにより、一対の懸架部材によって袋体をカップに懸架して、ドリップバッグをカップにセットする。そして、注ぎ口から袋体内へお湯を注ぐことにより、コーヒーをカップ内に抽出することができる。
【０００５】
なお、本発明に関連する先行技術として特許文献１から特許文献３に示すものがある。
【特許文献１】特開２００４−２３０１４３号公報
【特許文献２】特開２００４−２０８９０６号公報
【特許文献３】実開平６−６２９３９号公報
【発明の開示】
【発明が解決しようとする課題】
【０００６】
ところで、コーヒーの抽出後に、ドリップバッグをカップの近傍の皿等に一時的に置いたり又はドリップバッグをゴミ箱等に捨てたりする場合に、袋体に残った水分が袋体から漏出して、皿、床等に付着することになる。そのため、コーヒーの抽出に伴う後処理が煩雑化して、ドリップバッグの利用価値を十分に高めることができないという問題がある。
【０００７】
そこで、本発明は、前述の問題を解決することができる、新規な構成のドリップバッグを提供することを目的とする。
【課題を解決するための手段】
【０００８】
本発明の第１の特徴（請求項１に記載の発明の特徴）は、飲料をドリップ式によりカップ内に抽出するドリップバッグにおいて、上端側に開放可能な注ぎ口を有し、透水性の材料により構成され、抽出原料を封入する袋体と、前記袋体の外側面に前記袋体を挟むように対向して設けられ、前記カップの周縁に係止可能な係止爪がそれぞれ形成され、前記袋体を前記カップに懸架する一対の懸架部材と、一方の前記懸架部材の下端部に設けられ、前記飲料の抽出後に一対の前記懸架部材の立ち姿勢を底板として保持する姿勢保持部材と、前記姿勢保持部材の内側面に設けられ、前記飲料の抽出後に前記袋体から漏出した水分を吸水する吸水シート部材と、を備えたことを要旨とする。
【０００９】
第１の特徴によると、前記注ぎ口を開放した状態で、一対の前記懸架部材の前記係止爪を前記カップの周縁に係止することにより、前記懸架部材によって前記袋体を前記カップに懸架して、前記ドリップバッグを前記カップにセットする。そして、前記注ぎ口から前記袋体内へお湯を注ぐことにより、前記飲料を前記カップ内に抽出することができる。
【００１０】
前記飲料の抽出後に、一対の前記懸架部材の前記係止爪による係止状態を解除して、前記ドリップバッグを前記カップから取外す。そして、前記姿勢保持部材によって一対の前記懸架部材の立ち姿勢を保持することにより、前記袋体から水分を迅速に漏出させつつ、漏出した水分を落下させて、前記吸水シート部材に吸水させる。これにより、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを十分に抑えることができる。
【００１１】
本発明の第２の特徴（請求項２に記載の発明の特徴）は、第１の特徴に加えて、前記姿勢保持部材の先端部が他方の前記懸架部材の下端部に係止可能になっていることを要旨とする。
【００１２】
本発明の第３の特徴（請求項３に記載の発明の特徴）は、第１の特徴又は第２の特徴に加えて、前記吸水シート部材の輪郭縁に接着部が熱圧着によって形成され、前記接着部が前記吸水シート部材に吸水した水分の流出を阻止できるようになっていることを要旨とする。
【００１３】
第３の特徴によると、前記接着部が前記吸水シート部材に吸水した水分の流出を阻止できるようになっているため、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを確実に防止できる。
【００１４】
本発明の第４の特徴（請求項４に記載の発明の特徴は）は、第１の特徴から第３の特徴のうちのいずれかの特徴に加えて、前記吸水シート部材は、不織布シートと、該不織布シートを両側から挟むように設けられたチタンを含有の一対のポリエチレンシートとからなることを要旨とする。
【００１５】
第４の特徴によると、前記吸水シート部材が前記不織布シートの他にチタンを含有の一対の前記ポリエチレンシートからなるため、前記吸水シート部材の吸水性を十分に確保しつつ、吸水した水分による汚れを目立たなくすることができる。
【００１６】
本発明の第５の特徴（請求項５に記載の発明の特徴）は、第１の特徴から第４の特徴のうちのいずれかの特徴に加えて、前記抽出原料は、コーヒー粉又は茶葉であることを要旨とする。
【発明の効果】
【００１７】
請求項１から請求項５のうちのいずれかの請求項に記載の発明によれば、前記ドリップバッグを前記カップの近傍の皿等に一時的に置いたり又は前記ドリップバッグをゴミ箱等に捨てたりする場合に、前記袋体に残った水分が前記袋体から漏出して、皿、床等に付着することを十分に抑えることができるため、前記飲料の抽出に伴う後処理の簡略化を図って、前記ドリップバッグの利用価値を十分に向上させることができる。特に、前記袋体から水分を迅速に漏出させつつ、漏出した水分を前記吸水シート部材に吸水させることができるため、前記飲料を抽出してから前記後処理を開始するまでの時間を短くでき、前述の効果を更に高めることができる。
【発明を実施するための最良の形態】
【００１８】
本発明の実施形態について図１から図５を参照して説明する。
【００１９】
ここで、図１及び図２は、本発明の実施形態に係るドリップバッグの斜視図、図３は、本発明の実施形態に係るドリップバッグの展開図、図４は、本発明に実施形態に係るドリップバッグをカップにセットした状態を示す斜視図、図５は、コーヒーの抽出後における本発明の実施形態に係るドリップバッグの斜視図である。
【００２０】
図１から図３に示すように、本発明の実施形態に係るドリップバッグ１は、コーヒー（飲料の一例）をドリップ式によりカップ３内に抽出するものであって、抽出原料としてのコーヒー粉Ｍを封入する袋体５を備えており、この袋体５は、透水性の不織布又は不織紙等からなるものである。また、袋体５は、上端側に、開放可能な注ぎ口７を有している。
【００２１】
袋体５の外側面には、袋体５をカップ３に懸架する一対の懸架部材９が袋体５を挟むように対向して設けられており、一対の懸架部材９は、複数の連結片１１により一体的に連結されてあって、一対の懸架部材９及び複数の連結片１１は、紙又はプラスチックシートからなるものである。また、各懸架部材９の中央部には、カップ３の周縁に係止可能な係止爪１３がそれぞれ形成されている。更に、各懸架部材９における係止爪１３の上側には、上部開口部１５がそれぞれ形成されており、各懸架部材９における係止爪１３の下側には、下部開口部１７がそれぞれ形成されている。そして、一対の懸架部材９を開くと、袋体５の注ぎ口７が開放されるようになっている。
【００２２】
一方の懸架部材９の下端部には、コーヒーの抽出後に一対の懸架部材９の立ち姿勢を底板として保持する姿勢保持部材１９が一体に形成されており、この姿勢保持部材１９は、一対の懸架部材９及び複数の連結片１１と同様に、紙又はプラスチックシートからなるものである。また、姿勢保持部材１９は、基端側に、折り曲げ可能な第１折り曲げ稜１９ａを有してあって、先端側に、折り曲げ可能な第２折り曲げ稜１９ｂを有している。更に、姿勢保持部材１９の先端部（第２折り曲げ稜１９ｂよりも先端側部分）は、他方の懸架部材９の下端部に係止可能になっている。
【００２３】
姿勢保持部材１９の内側面には、コーヒーの抽出後に袋体５から漏出した水分を吸水する吸水シート部材２１が設けられており、この吸水シート部材２１は、不織布シートと、不織布シートを両側から挟むように設けられたチタンを含有の一対のポリエチレンシートとからなるものである。また、吸水シート部材２１の輪郭縁には、接着部２３が熱圧着によって形成されており、接着部２３は、吸水シート部材２１に吸水した水分の流出を阻止できるようになっている。なお、接着部２３の熱接着には、ポリプロピレン樹脂が用いられている。
【００２４】
次に、本発明の実施形態の作用及び効果について説明する。
【００２５】
一対の懸架部材９を開くことにより、袋体５の注ぎ口７を開放する。次に、図４に示すように、注ぎ口７を開放した状態で、一対の懸架部材９の係止爪１３を周縁に係止することにより、一対の懸架部材９によって袋体５をカップ３に懸架して、ドリップバッグ１をカップ３にセットする。そして、注ぎ口７から袋体５内へお湯を注ぐことにより、コーヒーをカップ３内に抽出することができる。
【００２６】
コーヒーの抽出後に、一対の懸架部材９の係止爪１３による係止状態を解除して、ドリップバッグ１をカップ３から取外す。そして、図５に示すように、姿勢保持部材１９の第１折り曲げ稜１９ａ及び第２折り曲げ稜１９ｂを折り曲げた状態で、姿勢保持部材１９の先端部を他方の懸架部材９の下端部に係止させて、姿勢保持部材１９によって一対の懸架部材９の立ち姿勢を保持することにより、袋体５から水分を迅速に漏出させつつ、漏出した水分を落下させて、吸水シート部材２１に吸水させる。これにより、接着部２３が吸水シート部材２１に吸水した水分の流出を阻止することもあって、ドリップバッグ１をカップ３の近傍の皿等に一時的に置いたり又はドリップバッグ１をゴミ箱等に捨てたりする場合に、袋体５に残った水分が袋体５から漏出して、皿、床等に付着することを確実に防止することができる。
【００２７】
また、吸水シート部材２１が不織布シートの他にチタンを含有の一対のポリエチレンシートからなるため、吸水シート部材２１の吸水性を十分に確保しつつ、吸水した水分による汚れを目立たなくすることができる。
【００２８】
以上の如き、本発明の実施形態によれば、ドリップバッグ１をカップの近傍の皿等に一時的に置いたり又はドリップバッグ１をゴミ箱等に捨てたりする場合に、袋体５に残った水分が袋体５から漏出して、皿、床等に付着することを確実に防止できるため、コーヒーの抽出に伴う後処理の簡略化を図って、ドリップバッグ１の利用価値を向上させることができる。特に、袋体５から水分を迅速に漏出させつつ、漏出した水分を吸水シート部材２１に吸水させることができるため、コーヒーを抽出してから前記後処理を開始するまでの時間を短くでき、前述の効果を更に高めることができる。
【００２９】
また、吸水シート部材２１の吸水性を十分に確保しつつ、吸水した水分による汚れを目立たなくすることができるため、コーヒーの抽出後におけるドリップバッグ１の外観品質を向上させることができる。
【００３０】
なお、本発明は、前述の実施形態の説明に限られるものではなく、例えば袋体５に封入する飲料原料として、コーヒー粉の他に、紅茶葉、日本茶等の茶葉を用いる等、その他、種々の態様で実施可能である。また、本発明に包含される権利範囲は、これらの実施形態に限定されないものである。
【図面の簡単な説明】
【００３１】
【図１】本発明の実施形態に係るドリップバッグの斜視図であって、一対の懸架部材が開いた状態を示している。
【図２】本発明の実施形態に係るドリップバッグの斜視図であって、一対の懸架部材が閉じた状態を示している。
【図３】本発明の実施形態に係るドリップバッグの展開図である。
【図４】本発明に実施形態に係るドリップバッグをカップにセットした状態を示す斜視図である。
【図５】コーヒーの抽出後における本発明の実施形態に係るドリップバッグの斜視図である。
【符号の説明】
【００３２】
Ｍ            コーヒー粉
１            ドリップバッグ
３            カップ
５            袋体
７            注ぎ口
９            懸架部材
１１            連結片
１３            係止爪
１５            上部開口部
１７            下部開口部
１９            姿勢保持部材
１９ａ          第１折り曲げ稜
１９ｂ          第２折り曲げ稜
２１            吸水シート部材
２３            接着部
【図１】
0004756021.tif 000002
【図２】
0004756021.tif 000003
【図３】
0004756021.tif 000004
【図４】
0004756021.tif 000005
【図５】
0004756021.tif 000006